(57)【要約】【課題】  両端部が回動可能に取り付けられたバックバンドを備えた履物において、履物自体の踵部上面に対するバックバンドの傾斜角を所定角度より小さくならないようにするようにした履物を提供する。              【解決手段】   バックバンド１４の両端部に取付けられた雌形ホック１６を、履物の甲皮部１２に取り付けられた雄形ホック１８に回動可能に嵌合させている履物（サンダル）において、雌形ホック１６の部材に回動制限突部５６を設けると共に、雄形ホック１８の部材に係止突部３２を設け、該回動制限突部５６と係止突部３２とが当接することによって雄形ホック１８に対する雌形ホック１６の回動角度位置が規制され、バックバンドの傾斜角が所定角度Ａより小さくならないようにした履物。【選択図】            図４
2006167060.tif 000002
【特許請求の範囲】
【請求項１】
両端部が回動可能に取り付けられた足の踵に引掛け得るバックバンドを備えた履物において、履物自体の踵部上面に対するバックバンドの傾斜角を所定角度より小さくならないようにする傾斜角制限手段を備えた履物であって、バックバンドの両端部には雌形ホックが取り付けられると共に履物自体の甲皮部には雄形ホックが取り付けられ、雌形ホックと雄形ホックが互いに回動可能かつ着脱可能に連結され、しかも雄形ホック自体には回動制限突部が設けられると共に雌形ホック自体には係止突部が設けられ、前記回動制限突部と係止突部が当接することによってバックバンドの傾斜角が所定角度より小さくならないようにしたことを特徴とする履物。
【請求項２】
請求項１記載の履物において、雄形ホックは所定深さで中心部に円孔が形成されたカップ状の有底筒部を有し、かつ有底筒部の外周を覆うように有底筒部の端部で円周にわたって逆方向に屈曲されて係合突部が形成され、しかもこの屈曲された部分は外周部がその中間部で円環状に周辺部より径が小さくされて雌形ホックが係合し得るようにされ、さらに屈曲部の開放端側外周は外方に延びてフランジ部が形成された雄形部材と、先端部を前記有底筒部の円孔に挿入後かしめることにより雄形ホック自体を履物の所定位置に取り付け得るかしめ部材とを含み、雌形ホックは 所定深さで中心部に円孔が形成されたカップ状の有底筒部を有し、
かつ有底筒部の開放端部付近は円周方向に拡開し内側に環状溝が形成されると共に環状溝内には、リングばねが装着され得る雌形部材と、前記雌形部材の有底筒部の外方に所定深さに嵌合されて固定され得るカップ状で中心部に円孔を有し、かつカップ状部分の開口部の全周もしくは一部にフランジ部が形成された回動制限部材と、先端部を雌形部材と回動制限部材の円孔に挿入後かしめることにより雌形ホック自体をバックバンドの所定位置に取り付け得るかしめ部材とを含み、しかも雄形部材のフランジ部には係止突部が突設されると共に回動制限部材のフランジ部には回動制限突部が突設され、該回動制限突部と雄形部材の係止突部とが当接することによって雄形ホックに対する雌形ホックの回動角度位置が固定され、バックバンドの傾斜角が所定角度より小さくならないようにした履物。
【請求項３】
履物の甲皮部に取り付けられた雄形ホックとバックバンドの両端部に取り付けられた雌形ホックとが嵌合することによって回動可能なバックバンドを備えた履物における踵部上面に対するバックバンドの傾斜角を所定角度より小さくならないようにするためのバックバンド回動制限具であって、線条材の一端部が曲成されて雄形ホックもしくは雌形ホックに引掛け得るホック引掛部が形成されると共に線状材はホック引掛部から所定距離離れた位置でホック引掛部寄りに折曲げられ、さらにその折曲部から所定長さ位置である拡がりをもって逆方向に折り曲げることによって甲皮引掛部が形成され、甲皮引掛部から延び出した線条材の他端部は、使用時甲皮部の外側に該当する方向でかつホック引掛部の向いている方向と略同方向に折り曲げられてバックバンド引掛部が形成され、しかも バックバンド引掛部はホック引掛部とバックバンド引掛部との間の部分に対してバックバンドが嵌り得る程度の間隔をなすように折り曲げられてなり、バックバンドはバックバンド引掛部もしくはバックバンド引掛部と甲皮引掛部との境目の折曲部付近で回動が制限され、バックバンドの傾斜角を所定角度より小さくならないようにしたバックバンド回動制限具。
【請求項４】
履物の甲皮部に取り付けられた雄形ホックとバックバンドの両端部に取り付けられた雌形ホックとが嵌合することによって回動可能なバックバンドを備えた履物における踵部上面に対するバックバンドの傾斜角を所定角度より小さくならないようにするためのバックバンド回動制限具であって、
板状部材が中間部で履物の甲皮部を挟持し得る程度の隙間を隔てて対抗する状態に折り曲がっており、この折曲部を境にして一方の板状部にはバックバンドの雌形ホックの外周部が嵌り得る円孔が形成されると共に該板状部の下端縁部には前記折曲部に対して所定角度をなすように突出縁部が一定幅で外方に突設され、バックバンドが突出縁部に当接することによりバックバンドの回動が制限され、バックバンドの傾斜角を所定角度より小さくならないようにしたバックバンド回動制限具。
【発明の詳細な説明】
【技術分野】
【０００１】
本発明はサンダル、靴等の履物に関するものであり、特にバッグバンドを回動可能に設けると共に、サンダル等の踵部上面に対するバッグバンドの傾斜角を一定角度以下にならないようにした傾斜角制限手段を備えた履物および履物に使用してバッグバンドの傾斜角を一定角度以下にならないようにするためのバックバンド回動制限具に関するものである。
【背景技術】
【０００２】
従来より、バッグバンドを備えたサンダルは、バックバンドをサンダルに固定するのが普通であるが、バックバンドが固定されているので、歩く度に踵から脱げ落ち易い欠点があるとして、バックバンドの両端部をピン等でサンダル本体に回動可能に取り付けるようにしたサンダルが提案されている。例えば、実用新案登録第３０９３０３０号公報（特許文献１）の図１，図２には、サンダル底部１にバックバンド（ストラップ４）を有頭形状のピン２で回動可能に取り付けた実施例が示されている。
【０００３】
ところが、このようなサンダルでは、バックバンドは回動可能とされているので歩く度に踵について移動はするが、踵とバックバンドとの間には多少の隙間がある（歩くためには隙間は必要）ので、歩行時に踵が上がった際にはバックバンドは遅れて動くので多少下の位置にあり、逆に踵が下がる際にはバックバンドも一緒に下がることになるので、歩行を続けるとバックバンドは遂に踵から外れて脱げてしまうという問題点があった。
本願発明者は、鋭意研究を続けているうちに、バックバンドの傾斜角をある限度以下にならないように制限すれば上記問題点を解決し得ることを見いだし、本発明を想到するに至ったものである。
【特許文献１】実用新案登録第３０９３０３０号公報
【発明の開示】
【発明が解決しようとする課題】
【０００４】
解決しようとする問題点は、回動可能なバックバンドを備えた履物では、歩いているうちにバックバンドが足の踵から次第にずり落ち、ついに踵から外れてしまうという問題点である。
本発明はこのように問題点を解決するためになされたものであり、本発明の目的は
バックバンドは回動はするが、履物の踵部上面に対するバックバンドの傾斜角が一定角度以下にならないように制限し得る履物を提供することである。
【課題を解決するための手段】
【０００５】
このような目的を達成するためになされた本発明は、次のように構成される。
Ａ  両端部が回動可能に取り付けられた足の踵に引掛け得るバックバンドを備えた履物において、履物自体の踵部上面に対するバックバンドの傾斜角を所定角度より小さくならないようにする傾斜角制限手段を備えた履物であって、バックバンドの両端部には雌形ホックが取り付けられると共に履物自体の甲皮部には雄形ホックが取り付けられ、雌形ホックと雄形ホックが互いに回動可能かつ着脱可能に連結され、しかも雄形ホック自体には回動制限突部が設けられると共に雌形ホック自体には係止突部が設けられ、前記回動制限突部と係止突部が当接することによってバックバンドの傾斜角が所定角度より小さくならないようにしたことを特徴とする履物。
Ｂ  Ａ項記載の履物において、雄形ホックは所定深さで中心部に円孔が形成されたカップ状の有底筒部を有し、かつ有底筒部の外周を覆うように有底筒部の端部で円周にわたって逆方向に屈曲されて係合突部が形成され、しかもこの屈曲された部分は外周部がその中間部で円環状に周辺部より径が小さくされて雌形ホックが係合し得るようにされ、さらに屈曲部の開放端側外周は外方に延びてフランジ部が形成された雄形部材と、先端部を前記有底筒部の円孔に挿入後かしめることにより雄形ホック自体を履物の所定位置に取り付け得るかしめ部材とを含み、雌形ホックは 所定深さで中心部に円孔が形成されたカップ状の有底筒部を有し、かつ有底筒部の開放端部付近は円周方向に拡開し内側に環状溝が形成されると共に環状溝内には、リングばねが装着され得る雌形部材と、前記雌形部材の有底筒部の外方に所定深さに嵌合されて固定され得るカップ状で中心部に円孔を有し、かつカップ状部分の開口部の全周もしくは一部にフランジ部が形成された回動制限部材と、先端部を雌形部材と回動制限部材の円孔に挿入後かしめることにより雌形ホック自体をバックバンドの所定位置に取り付け得るかしめ部材とを含み、しかも雄形部材のフランジ部には係止突部が突設されると共に回動制限部材のフランジ部には回動制限突部が突設され、該回動制限突部と雄形部材の係止突部とが当接することによって雄形ホックに対する雌形ホックの回動角度位置が固定され、バックバンドの傾斜角が所定角度より小さくならないようにした履物。
Ｃ  履物の甲皮部に取り付けられた雄形ホックとバックバンドの両端部に取り付けられた雌形ホックとが嵌合することによって回動可能なバックバンドを備えた履物における踵部上面に対するバックバンドの傾斜角を所定角度より小さくならないようにするためのバックバンド回動制限具であって、線条材の一端部が曲成されて雄形ホックもしくは雌形ホックに引掛け得るホック引掛部が形成されると共に線状材はホック引掛部から所定距離離れた位置でホック引掛部寄りに折曲げられ、さらにその折曲部から所定長さ位置である拡がりをもって逆方向に折り曲げることによって甲皮引掛部が形成され、甲皮引掛部から延び出した線条材の他端部は、使用時甲皮部の外側に該当する方向でかつホック引掛部の向いている方向と略同方向に折り曲げられてバックバンド引掛部が形成され、しかも バックバンド引掛部はホック引掛部とバックバンド引掛部との間の部分に対してバックバンドが嵌り得る程度の間隔をなすように折り曲げられてなり、バックバンドはバックバンド引掛部もしくはバックバンド引掛部と甲皮引掛部との境目の折曲部付近で回動が制限され、バックバンドの傾斜角を所定角度より小さくならないようにしたバックバンド回動制限具。
Ｄ  履物の甲皮部に取り付けられた雄形ホックとバックバンドの両端部に取り付けられた雌形ホックとが嵌合することによって回動可能なバックバンドを備えた履物における踵部上面に対するバックバンドの傾斜角を所定角度より小さくならないようにするためのバックバンド回動制限具であって、板状部材が中間部で履物の甲皮部を挟持し得る程度の隙間を隔てて対抗する状態に折り曲がっており、この折曲部を境にして一方の板状部にはバックバンドの雌形ホックの外周部が嵌り得る円孔が形成されると共に該板状部の下端縁部には前記折曲部に対して所定角度をなすように突出縁部が一定幅で外方に突設され、バックバンドが突出縁部に当接することによりバックバンドの回動が制限され、バックバンドの傾斜角を所定角度より小さくならないようにしたバックバンド回動制限具。
【発明の効果】
【０００６】
本発明は上述のように構成されているので、次に記載する効果を奏する。
履物の甲皮部等に取り付けられた雄形ホックとバックバンドの両端部に取り付けられた雌形ホックとが回動可能に嵌合されているので、バックバンドは回動できるが、雌形ホックに設けた回動制限突部に雄形ホックに設けた係止突部が当接することによって、バックバンドの回動が制限され、バックバンドの傾斜角が一定の角度以下にならない。従って、歩いているうちに、バックバンドがずり落ち足の踵から外れることがないという利点がある。
また、バックバンドは回動可能とされているので、バックバンドを使用しないで突っ掛けサンダル等として使用するには、バックバンドを前方に回して甲皮部に添わせておけば、バックバンドが邪魔にならず、好適に使用できるという利点がある。
さらに、線条材からなるバックバンド回動制限具は雄形ホックや雌形ホックを特別な構造のものとしなくてもバックバンドの傾斜角を一定角度以下にならないように制限できる利点がある。
【発明を実施するための最良の形態】
【０００７】
バックバンドを回動可能に設け、かつバックバンドの傾斜角を一定角度以下にならないようにした履物を提供するという目的を、履物の甲皮部等に設けた雄形ホックとバックバンドの両端部に設けた雌形ホックとを回動可能に嵌合し、かつ各ホックにそれぞれ設けた係止突部と回動制限突部とを当接させることによってバックバンドの回動を制限することによって実現した。
【実施例１】
【０００８】
以下本発明の実施例を図面に基づいて詳細に説明する。
図１において１０はサンダルであり、甲皮部１２にはバックバンド１４が取り付けられている。バックバンド１４は、その両端部に取り付けられた雌形ホック１６と甲皮部１２に設けた雄形ホック１８とが嵌り合うことによって、甲皮部１２に回動可能に取り付けられるが、雌形ホック１６、雄形ホック１８に設けた傾斜角制限手段（図示省略）により踵部２０に対するバックバンド１４の傾斜角が所定の傾斜角（最低傾斜角Ａ）より小さくならないようにされている。
【０００９】
雄形ホック１８は図２（ニ）に示すように雄形部材１９とかしめ部材２２とを備えている。これは通常使用される雄形ホックの雄形部材、かしめ部材と同様な構成であるが、雄形部材１９には係止突部３２が突設されている点で異なる。すなわち、雄形部材１９は図２（イ）、（ロ）に示すように、中心部に所定深さで中央に円孔２４が形成されたカップ状の有底筒部２６を有し、かつ有底筒部２６の外周を覆うように有底筒部２６の端部で円周にわたって逆方向に屈曲されると共に、該屈曲部には外周部の高さ方向の中間部に円環状に周辺部より径が小さくされて雌形ホック１６が係合し得る係合突部２８が形成され、さらに屈曲部の開放端側外周は外方に延びてフランジ部３０が形成されている。フランジ部３０には傾斜角制限手段としての係止突部３２が突設されている。係止突部３２は、フランジ部３０に係止突部３２と同様な輪郭でその底辺部を除く形状の切り込みを入れ、底辺部から折り曲げて引き起こしたものである。
【００１０】
かしめ部材２２は図２（ハ）に示すように、筒状部の一端にディスク状部が形成されたものである。図２（ニ）に示すように、甲皮部１２を貫通したかしめ部材２２の頭部を雄形部材１９の円孔２４に挿通してからかしめることによって、雄形部材１９は甲皮部１２に取り付けられる。なお、雄形部材１９のフランジ部３０の底面側には複数の回り止め用の小突起（図示省略）が形成されている。
【００１１】
雌形ホック１６は図３に示すように、かしめ部材３６、回動制限部材３８、雌形部材４０を備えている。雌形部材４０は図３（ハ）に示すように、中心部に円孔４２が形成された所定深さのカップ状の有底筒部４４を有し、かつ有底筒部４４の開放端部付近は円周方向に拡開し内側に環状溝４６が形成されると共に環状溝４６内には、リングばね４８が装着し得るようにされている。回動制限部材３８は図３（ロ）に示すように、カップ状で中心に円孔５０を有し、かつカップ状部５２の開口部の全周にフランジ部５４が形成され、かつフランジ部５４には傾斜角制限手段としての回動制限突部５６が突設されている。カップ状部５２内には雌形部材４０の有底筒状部４４が嵌り込み固定される。その固定は、カップ状部５２内に有底筒状部４４を圧入するか、あるいは接着剤の塗布等で行われる。なお、回動制限部材３８のカップ状部の上面側には複数の回り止め用の小突起（図示省略）が形成されている。
【００１２】
かしめ部材３６は図３（イ）に示すように、筒状部の一端にディスク状部が形成されたかしめ用材６０と表面部材６２で構成され、かしめ用材６０のディスク状部の全周を表面
部材６２の周縁を折り曲げて包み込むようにしてかしめられて一体にされている。    
雌形ホック１６のバックバンド１４への取り付けは、図３（ニ）に示すように、バックバンド１４の端部を貫通したかしめ用材６０の先端部は回動制限部材３８の円孔５０と雌形部材４０の円孔４２に挿通され、その頭部をかしめることによって行われる。
【００１３】
図４（イ）は甲皮部１２に取り付けられた雄形ホック１８と、バックバンド１４に取り付けられた雌形ホック１６とを嵌め合わせた状態を示す。雄形ホック１８の係合突部２８の円周方向の凹部に、雌形ホック１６のリングばね４８が嵌り込んだ状態であり、雌形ホック１６は一定範囲内で回動可能となるが、図４（ロ）に示すように雄形ホック１８の係止突部３２に雌形ホック１６の回動制限突部５６が当接すると、雌形ホック１６はそれ以上回動できなくなる。すなわち、雌形ホック１６が取り付けられたバックバンド１４は、図４（ハ）に示すように、踵部２０上面に対する傾斜角度が所定傾斜角（最低傾斜角Ａ）より小さくはならないようにされている。
【００１４】
なお、雄形ホック１８、雌形ホック１６をそれぞれ甲皮部１２、バックバンド１４に取り付ける際には、係止突部３２と回動制限突部５６とが当接したとき前記傾斜角度を維持し得るように取付位置が決定される。
本実施例によれば、バックバンド１４は回動可能であるが、所定傾斜角より小さくはならないので、歩き続けても足の踵から脱げることがなく、歩き易いという利点がある。
また、バックバンドは回動可能とされているので、バックバンドを使用しないで突っ掛けサンダルや突っ掛け靴等として使用するには、バックバンドを前方に回して甲皮部に添わせておけば、バックバンドが邪魔にならず、好適に使用できるという利点がある。
【実施例２】
【００１５】
図５は本願発明のバックバンド回動制限具の実施例を示す。図５（イ）、（ロ）、（ハ）はそれぞれバックバンド回動制限具６４の正面図、平面図、右側面図である。図６（イ）はバックバンド回動制限具６４の使用状態を、図６（ロ）はその部分拡大図を示す。ここでは、サンダルに使用する雌形ホック６７、雄形ホック（図示省略）は回動を制限する部分を有しない汎用のものが使用される。
バックバンド回動制限具６４は、図５に示すように線条材としての針金の一端部が折り曲げられて雌形ホック６７の外側に引掛け得るホック引掛部６８が形成されると共に、針金の他端部はホック引掛部６８から所定距離離れた位置で内側（使用時甲皮部の内側になる側）に折り曲げられ、さらにその折曲部から所定長さ位置である拡がりをもって逆方向に折り曲げられることによって甲皮引掛部７０が形成され、甲皮引掛部７０からはみ出た針金の他端部は外側に折り曲げられてバックバンド引掛部７２が形成され、バックバンド引掛部７２にあるいはバックバンド引掛部７２と甲皮引掛部７０との境目の折曲部付近にバックバンド６６が当接してその回動が制限され、バックバンド６６の傾斜角を所定角度Ａより小さくならないようにされている。なお、上図において、針金は作図上太く誇張して図示されている。
【００１６】
図５に示す針金の部分７３と部分７４は同一平面に略位置するようにされ、甲皮引掛部７０を形成する部分７５，７６、７７は他の同一平面上に略位置されるが、両平面は互いに平行な平面ではない。いま部分７５、７６、７７を含む面を鉛直な平面上に置くとすれば、部分７４，７３を含む面は鉛直な平面から傾いた状態（ねじれた状態）をなしている。
【００１７】
バックバンド回動制限具６４は、図６に示すようにホック引掛部６８を雌形ホック６７の外側に引掛けると共に、甲皮部１２を挟持するよう甲皮引掛部７０を甲皮部１２の内側に入れると、バックバンド引掛部７２は甲皮部１２の側面に対して若干開いた状態となる。バックバンド６６は雌形ホック６７を軸として回動できるが、バックバンド６６の下縁がバックバンド引掛部７２に当接するとそれ以上回動できなくなり、バックバンド６６は踵部２０に対して角度Ａ以下に傾くことが防止される。バックバンド６６は回動可能であるが、所定角度より小さくならないので、前記実施例同様に歩く続けても足の踵から脱げることがなく、歩き易いという利点がある。また、前記実施例では、雌形ホック、雄形ホックを特別製としたが、本実施例のバックバンド回動制限具は汎用の雌形ホック、雄形ホックを有するサンダル等の履物に適用できる利点がある。なお、ホック引掛部６８を雌形ホック６７に引っ掛けるには、雄形ホックとの嵌合を外してから行ってよい。また、ホック引掛部６８は雄形ホックに引っ掛けるようにしてもよい。
バックバンド回動制限具６４は図６に示すようにサンダルの左側に取り付けられるが、右側に取り付けられるバックバンド回動制限具は、図５（イ）における部分７５，７６、７７を含む平面に対して対称をなしている。
【００１８】
図７は前記バックバンド回動制限具６４の変形例を示す。図７（イ）に示すバックバンド回動制限具８０は板状部８１、８２が甲皮部１２を挟持できる程度の隙間を隔てて折れ曲がった状態に合成樹脂で一体に構成され、一方の板状部８１には円孔８３が設けられている。円孔８３は、バックバンド６６に取り付けられた雌形ホックのバックバンド６６裏面側の椀状の部材（図３の雌形部材４０に相当する部材）の外形が嵌り得る程度とされている。さらに、板状部８１の下端縁部には両板状部８１、８１の折曲部に対し所定の角度をなすように突出縁部８４が一定幅で略直角方向に突設され、さらにその縁部には上方に立上り部８５が形成されている。
【００１９】
なお、バックバンド回動制限具８６は、前記バックバンド回動制限具８０の縦方向の側縁に対し対称をなしている。すなわち、板状部８７、９２は板状部８１，８２に、円孔８９は円孔８３に、突出縁部９０は突出縁部８４に、立上り部９１は立上り部９５に対応している。バックバンド回動制限具８０はサンダルの左側に取付けて使用するが、バックバンド回動制限具８６はサンダルの右側に取り付けられる。バックバンド回動制限具は片足に１つ使用すれば足りる。
【００２０】
図８はバックバンド回動制限具８０を甲皮部１２に取り付けた状態を示すが、突出縁部８４にバックバンド６６の下縁が当接すると、バックバンド６６はそれ以上傾かない。
以上本発明の一実施例を説明したが、実施例に限定されるものではなく、本発明の要旨を逸脱しない範囲において種々なる態様で実施し得ることはもちろんである。
【産業上の利用可能性】
【００２１】
本発明の履物は、歩き続けてもバックバンドが足の踵から外れず歩き易い履物として、サンダル、靴等に適用できる。  
【図面の簡単な説明】
【００２２】
【図１】本発明の一実施例を示す斜視図である。
【図２】（イ）〜（ホ）は同実施例に使用する一部品の各構成部材および組付状態を拡大して示す説明図、（ロ）は（イ）におけるＰ視図である。
【図３】（イ）〜（ホ）は同実施例に使用する他の部品の各構成部材および組付状態を拡大して示す説明図である。
【図４】（イ）〜（ハ）は上記各部品の組付状態を拡大して示す断面図、平面図および作用説明図である。
【図５】（イ）〜（ハ）は本発明のバックバンド回動制限具の一実施例を示す正面図、平面図、右側面図である。
【図６】（イ）、（ロ）は同実施例の使用状態を示す説明図と部分拡大図である。
【図７】（イ）、（ロ）は本発明のバックバンド回動制限具の前記実施例の変形例を示す斜視図である。
【図８】同実施例の使用状態を示す説明図である。
【符号の説明】
【００２３】
１０  サンダル
１２  甲皮部
１４  バックバンド
１６  雌形ホック
１８  雄形ホック
２０  踵部
２２  かしめ部材
２４  円孔
２６  有底筒部
２８  係合突部
３０  フランジ部
３２  係止突部
３６  かしめ部材
３８  回動制限部材
４０  雌形部材
４２  円孔
５６  回動制限突部
６０  かしめ部材
６４  バックバンド回動制限具
６６  バックバンド
６７  雌形ホック
６８  ホック引掛部
７０  甲皮引掛部
７２  バックバンド引掛部
８０  バックバンド回動制限具
８６  バックバンド回動制限具
【図１】
2006167060.tif 000003
【図２】
2006167060.tif 000004
【図３】
2006167060.tif 000005
【図４】
2006167060.tif 000006
【図５】
2006167060.tif 000007
【図６】
2006167060.tif 000008
【図７】
2006167060.tif 000009
【図８】
2006167060.tif 000010